(57)【要約】【課題】本発明が解決しようとする課題は、クランプの保持力を維持させたまま挿入時のヒンジ部位の変形を容易とすることでスタッドボルトの挿入荷重を減らすことにある。【解決手段】取付部品に装着され、被取付部位に立設されたスタッドボルトに嵌合挿入されることにより取付部品を被取付部位に取付けるスタッドボルト用クランプであって、スタッドボルトの少なくとも軸対称の両側位置に挿入方向且つ外方方向に撓み得ることができる形状のヒンジ部位４０が設けられており、該ヒンジ部位４０の先端はスタッドボルト２を弾発支持する係止片４２と成っており、該係止片４２にはスタッドボルト２の溝形状に対応した複数の係合突起４３が形成されてスタッドボルト２の溝と係合されるようになっており、少なくとも挿入方向の最初の係合突起４３ａの最初の係合面４５ａの角度が対応するスタッドボルトの溝形状角度より大きく形成されていることを特徴とする。【選択図】        図１４
2005083494.tif 000002
【特許請求の範囲】
【請求項１】
取付部品に装着され、被取付部位に立設されたスタッドボルトに嵌合挿入されることにより取付部品を被取付部位に取付けるスタッドボルト用クランプであって、
スタッドボルトの少なくとも軸対称の両側位置に挿入方向且つ外方方向に撓み得ることができる形状のヒンジ部位が設けられており、該ヒンジ部位の先端はスタッドボルトを弾発支持する係止片と成っており、該係止片にはスタッドボルトの溝形状に対応した複数の係合突起が形成されてスタッドボルトの溝と係合されるようになっており、少なくとも挿入方向の最初の係合突起の最初の係合面の角度が対応するスタッドボルトの溝形状角度より大きく形成されていることを特徴とするスタッドボルト用クランプ。
【請求項２】
請求項１に記載のスタッドボルト用クランプであって、
前記先端を係止片としたヒンジ部位がスタッドボルト挿入方向に沿って複数組設けられていることを特徴とするスタッドボルト用クランプ。
【請求項３】
請求項１又は請求項２に記載のスタッドボルト用クランプであって、
前記ヒンジ部位は樹脂製であることを特徴とするスタッドボルト用クランプ。
【発明の詳細な説明】
【技術分野】
【０００１】
本発明は、スタッドボルト用クランプに関する。例えば自動車等の車両に配置される電線ケーブル用プロテクタを被取付部位に設けられたスタッドボルトを用いて車体に装着するスタッドボルト用クランプに関する。
【背景技術】
【０００２】
自動車等の車体に配置される電線ケーブル用プロテクタ（以下、プロテクタという。）は所定のクランプによって車体に取付けられる。つまり、そのクランプの本体内の嵌合手段と被取付部位に設けられたスタットボルトとが嵌合することでプロテクタが車体に取付けられた状態となる。例えば、動力源としてエンジンと電気モータとを併用するハイブリット・カーの車体には高圧電線用のプロテクタが配索されている。そのプロテクタにはクランプが装着されている。そして、クランプ本体内の嵌合手段と車体の被取付面に設けられたスタッドボルトとが嵌合挿入することでプロテクタが車体に取付けられた状態となる。
この種のクランプ本体内の一般的構造としては、本体内軸対称両側にヒンジ部位が設けられており、このヒンジ部位の先端にスタッドボルト外周溝と係合する係合突起を設けるものがある（特許文献１参照）。このクランプによれば本体内のヒンジ部位の撓み変形によりスタッドボルトの挿入ができるようになっている。しかし逆に、クランプ本体からはスタッドボルトが容易に抜けないようになっている。これは係合突起とスタッドボルト外周溝とが係合状態にあることによる。また、引き抜き時の荷重がヒンジ部位の弾性変形によって吸収されるためである。
【０００３】
この種クランプでは、クランプがスタットボルトから容易に抜けないようにすること、すなわち保持力は大きい方が確実な組付け状態を長く維持する観点から望ましい。上記構造のクランプでは当該係合突起部分をスタットボルトの外周溝に対応させて形成することで、その保持力を高めている。つまり、係合突起をスタッドボルト外周溝の形状に対応させて同程度か若干大きく形成する。これにより係合突起とスタッドボルト外周溝との係合が確実に行われ、強く維持される。そのためこの係合状態を解除してスタッドボルトからクランプが抜き出るためには大きな荷重が必要となる。このように上記クランプによればその本体内部に特別な構造、要素を付加することなく、保持力を向上させることができる。
【特許文献１】特開平１１−１７３３２０号公報
【発明の開示】
【発明が解決しようとする課題】
【０００４】
しかし、上記構成はスタッドボルトがクランプ本体へ挿入される際の挿入荷重も大きくなるという問題がある。上記構造におけるヒンジ部位先端の係合突起はスタットボルトの外周溝に対応して形成される。つまり、スタッドボルト挿入方向の最初に配置された係合突起の係合面角度は対応するスタッドボルト溝形状角度と略同角度に形成されており、普通には挿入方向に対して若干下向きの角度は付与されているが略垂直に近い角度として形成されている。このため挿入時にはスタットボルトの先端が先ずこの垂直に近い係合面と接触することになり、その接触状態において、係合突起を有するヒンジ部位を外方に弾性変形させて広げて挿入することが必要となる。この際のヒンジ部位を弾性変形させる挿入荷重は、最初の係合突起の係合面の形成角度が挿入方向に対して垂直に近い角度となっていることから、大きな荷重を必要とする。その結果として上記クランプを用いたプロテクタの取付作業にも労力が要することになり、作業性が悪くなるという問題を生じる。
【０００５】
本発明は、このような点に鑑みて創案されたものであり、本発明が解決しようとする課題は、クランプの保持力を維持させたまま挿入時のヒンジ部位の変形を容易とすることでスタッドボルトの挿入荷重を減らすことにある。
【課題を解決するための手段】
【０００６】
上記課題を解決するために、本発明の各発明は次の手段をとる。
先ず、第１の発明に係るスタッドボルト用クランプは、次の手段をとる。すなわち、取付部品に装着され、被取付部位に立設されたスタッドボルトに嵌合挿入されることにより取付部品を被取付部位に取付けるスタッドボルト用クランプであって、スタッドボルトの少なくとも軸対称の両側位置に挿入方向且つ外方方向に撓み得ることができる形状のヒンジ部位が設けられており、該ヒンジ部位の先端はスタッドボルトを弾発支持する係止片と成っており、該係止片にはスタッドボルトの溝形状に対応した複数の係合突起が形成されてスタッドボルトの溝と係合されるようになっており、少なくとも挿入方向の最初の係合突起の最初の係合面の角度が対応するスタッドボルトの溝形状角度より大きく形成されていることを特徴とする。
この第１の発明によれば、スタッドボルトの少なくとも軸対称の両側位置に挿入方向且つ外方方向に撓み得ることができる形状のヒンジ部位が設けられており、該ヒンジ部位の先端はスタッドボルトを弾発支持する係止片と成っており、該係止片にはスタッドボルトの溝形状に対応した複数の係合突起が形成されてスタッドボルトの溝と係合されるようになっている。また、該係止片にはスタッドボルトの溝形状に対応した複数の係合突起が形成されてスタッドボルトの溝と係合されるようになっていることでクランプのスタッドボルトに対する保持力の維持が図られている。さらに少なくとも挿入方向の最初の係合突起の最初の係合面の角度が対応するスタッドボルトの溝形状角度より大きく形成されている、すなわち挿入方向に大きく傾斜した角度に形成されていることで、挿入時におけるヒンジ部位の外方への変形が容易となっている。つまり、スタッドボルトの挿入荷重の殆んどの荷重を最初の係合突起の係合面に対し外方に変形させる作用力として作用させることができるため、その結果としてヒンジ部位全体を外方向に弾性変形させて押し広げることができる。これによりスタッドボルトに対するクランプの挿入荷重を低減させることができる。
【０００７】
次に、第２の発明に係るスタッドボルト用クランプは、次の手段をとる。すなわち、第１の発明に記載のスタッドボルト用クランプであって、前記先端を係止片としたヒンジ部位がスタッドボルト挿入方向に沿って複数組設けられていることを特徴とする。
この第２の発明によれば、先端を係止片としたヒンジ部位がスタッドボルト挿入方向に沿って複数組設けられているためクランプの保持力をより一層向上させることができる。
【０００８】
次に、第３の発明に係るスタッドボルト用クランプは、次の手段をとる。すなわち、第１の発明又は第２の発明に記載のスタッドボルト用クランプであって、前記ヒンジ部位は樹脂製であることを特徴とする。
この第３の発明によれば、前記ヒンジ部位は樹脂製であるためクランプの軽量化が図られると共に、ヒンジ部位の形成を容易とする。また、挿入時におけるヒンジ部位の弾性変形を容易に行わせることができる。
【発明の効果】
【０００９】
上述した本発明によれば、次の効果を得ることができる。
先ず、第１の発明によれば、スタッドボルトに対する所定の保持力を維持しつつ、挿入時における挿入荷重の低減を図ることができる。
【００１０】
次に、第２の発明によれば、クランプの保持力をより一層向上させることができる。
次に、第３の発明によれば、クランプの軽量化が図られると共に、ヒンジ部位の形成を容易とする。
【発明を実施するための最良の形態】
【００１１】
以下に本発明を実施するための最良の形態を図に基づいて説明する。以下に説明する各実施例は図１に示す位置で電線ケーブル用プロテクタ１（以下、プロテクタ１という）を車体床下面Ａに取付けるスタッドボルト用クランプ１０（以下、クランプ１０という）に関する。つまり、図２に示す通りプロテクタ１に穿たれた孔１ａにクランプ１０のクリップ２０部分を挿入する。続いてクランプ１０上部面に設けられた挿入孔１４にスタッドボルト２を挿入する。このようにして図１２に示されるようにプロテクタ１が車体床下面Ａに固定されることとなるものである。このときクランプ１０のクリップ２０部分と把持部材３０とでプロテクタ１が挟まれた状態となりプロテクタ１がクランプ１０に固定される。そして、クランプ１０内部のヒンジ部位４０とスタッドボルト２の溝とが嵌合した状態となりスタッドボルト２とクランプ１０とが止着される。
なお、スタッドボルト２は車体床下面Ａに立設して設けられる。そして、普通にはスタッドボルト２は車体下部の車体床下面Ａに一体的に取付けられている。
以下、クランプ１０について詳述する。
【実施例１】
【００１２】
実施例１は図３乃至図１４に示されている。図３は実施例１のクランプ１０の斜視図、図４は実施例１のクランプ１０の平面図、図９は実施例１のクランプ１０の正面図、図５〜８は実施例１のクランプ１０の各断面図である。
図３に示す通り実施例１に係るクランプ１０は平面形状が略四角形状をした本体１１とその本体１１に一体的に設けられたクリップ２０とその本体１１下部の周囲に亘って拡がる把持部材３０とからなる。
【００１３】
先ず本体１１について説明する。本体１１は収納部１２とその収納部１２に一体的に設けられた支持部１５とからなる。
先ず収納部１２について説明する。収納部１２は、図４に示す通りその平面形状が略正方形状をした中空形状の筒体である。収納部１２の内部にある収納中空部１３は後述のとおりスタッドボルト２の受け入れ部となっている。また、図９の収納部１２正面には窓部３が左右対称に設けられている。図１０の収納部１２側部は密閉されている。
そして、図４の収納部１２の上部面には略長方形状の挿入孔１４が設けられている。挿入孔１４は図４及び図５で見て正面及び背面部分がすり鉢状となっている。そして、すり鉢状部分の下部と連結して溝部４が設けられている。溝部４は収納部１２内部の底部まで通じている。この溝部４に沿うことでスタッドボルト２が収納中空部１３へと誘導されることとなる。なお、収納中空部１３内部の詳細構造については後述する。
上記の挿入孔１４及び窓部３を除き収納部１２は密閉されている。
【００１４】
次に支持部１５から説明する。支持部１５は、図６及び図８で見て収納部１２の下部に位置する中空形状の筒体である。支持部１５上部は、収納部１２と同一形状で且つ収納部１２と一体的に連結している。そして支持部１５下部は収納部１２に比べて幅広に形成されている。また図６及び図８で見て支持中空部１６中央には支柱部材１７、１８が直立している。つまり支柱部材１７は、支持部１５正面から背面へと横断して直立している。同様に支柱部材１８は左側面から右側面へと横断して直立している。そして支持部１５中央部で支柱部材１７、１８が直交する構造をとる。このため図５で見て収納部１２の下部に位置する部分は支柱部が直交した構造で支持されることとなる。図１１で表される支持部１５の底は密閉されている。
なお、内部が中空形状であるのはクランプ１０の軽量化を図ったものである。そして支持中空部１６に支柱部材１７、１８を設けることで所定の強度を支持部１５に持たせることとしている。
【００１５】
次にクリップ２０について説明する。実施例１においては図３及び図４に示す通り、収納部１２上面の四つ角に四つのクリップ２０が設けられている。そして図７及び図９に示す通り、クリップ２０と収納部１２上面とは一体的に形成されている。そしてその収納部１２上面から支持部１５に向かって緩やかなカーブを描いて側部方向に張り出す恰好でクリップ２０が形成されている。
そして、収納部１２を挟んでそれぞれ対接するクリップ２０同士が互いに接近する方向に撓み変形する。つまり、クリップ２０同士の間隔が縮まるように収納部１２方向に弾性変形するものである。
これによりクランプ１０とプロテクタ１とがクリップ嵌合する。このクリップ嵌合によればワンタッチでプロテクタ１にクランプ１０を装着することができる。つまり作業性がよい。
【００１６】
次に把持部材３０について説明する。実施例１においては図４及び図１１で示される通り、支持部１５下部の周囲に亘って拡がって形成されている。また、図６及び図８で見て断面構造には所定の厚みがある。
上記構成をとることでクリップ嵌合されたプロテクタ１を確実に支持することができる。つまり、プロテクタ１を支持する位置にある把持部材３０は所定の断面積が確保されている。このためプロテクタ１の重みにより把持部材３０が抜け落ちることがない。
【００１７】
次に収納中空部１３の内部構造について説明する。
収納部１２収納中空部１３にはヒンジ部位４０が設けられている。実施例１においては図５及び図１３で見て四つのヒンジ部位４０が形成されている。ヒンジ部位４０は二つが一組となって配置される。つまり、二つのヒンジ部位４０はスタッドボルト挿入軸線を基準として軸対称となるよう収納部１２内部に配置されている。実施例１においてはスタッドボルト２の軸対称の両側位置に設けられたヒンジ部位４０がスタッドボルト挿入方向に沿って二組設けられていることとなる。
なお、ヒンジ部位４０はスタッドボルト挿入方向に沿って三組以上設けられていてもよい。スタッドボルト保持力が向上するためである。また、逆に一組であってもよい。要求される保持力に応じてヒンジ部位４０の数を設定することができる。
【００１８】
ヒンジ部位４０はアーム部４１と係止片４２と係合突起４３とからなる。
収納部の内部壁面１９とはアーム部４１で連結されている。実施例１においては図１３に示す通り、アーム部４１は収納部の内部壁面１９と一体的に設けられている。そして、スタッドボルト挿入方向にやや傾斜が与えられている。この傾斜に沿ってスタッドボルト２が挿入される。
また、アーム部４１は撓み変形が可能である。つまりスタッドボルト挿入軸線を挟んで対接するアーム部４１同士が近づく方向又は離れる方向に変形することができる。
なお、実施例１においてアーム部４１は樹脂製であり撓み変形可能である。
【００１９】
アーム部４１の先端には係止片４２が設けられている。図１３及び図１４で見て、本実施の形態においてはアーム部４１の先端に係止片４２が位置する。係止片４２は断面略長方形状に形成されている。そして、収納中空部１３側に係止片４２の長尺面が向くように配置される。このため実施例１においては図１３に表される通りヒンジ部位一組毎に係止片４２の長尺面同士が向かい合う状態となっている。なお、係止片４２も樹脂製である。
【００２０】
係止片４２の収納中空部１３側の長尺面には係合突起４３が設けられる。そして二つの係合突起４３はスタッドボルト挿入方向に連接して設けられている。図１３に示すとおり実施例１においては係止片４２の収納中空部１３側の長尺面にそれぞれ二つの係合突起４３が設けられている。つまり、図１４で見て係止片４２上部に第一係合突起４３ａが設けられ、それに連接するように係止片４２下部に第二係合突起４３ｂが設けらている。
【００２１】
そして、第二係合突起４３ｂの形状はスタッドボルト２の溝形状に対応して形成されている。すなわち、図１４〜図１７に示す通りスタッドボルト２の山部位２ａと各係合突起４３ａ、４３ｂ間の谷部位４４ｂとが対応して形成される。同様にスタッドボルト２の谷部位２ｂと第二係合突起４３ｂの山部位４４ａとが対応して形成される。そしてスタッドボルト２の山の頂と谷底とを連絡する面（フランク面２ｃ）と第二係合突起４３ｂの係合面４５とが対応して形成されることとなる。
上記の対応した状態では第二係合突起４３ｂの最初の係合面４５ｃ角度は対応するスタッドボルト溝形状角度と略同角度に形成されることとなる。普通には挿入方向に対して若干下向きの角度が付与されているが、図１６に示す通り略垂直に近い角度として形成されることとなる。
【００２２】
一方、実施例１においては第一係合突起４３ａの最初の係合面４５ａの角度はスタッドボルト２の溝形状角度より大きく形成されている。つまり、図１６に表されるように第一係合突起４３ａの最初の係合面４５ａの角度はスタッドボルト２のフランク面２ｃの角度よりも大きく形成されている。すなわち、第一係合突起４３ａの最初の係合面４５ａ角度はスタッドボルト挿入方向に大きく傾斜した角度として形成されているものである。
なお、第―係合突起４３ａのその他の面及び部位についてはスタッドボルト２の溝形状と実質的に対応して形成されるものである。ここで、実質的に対応しているとは、少なくとも第一係合突起４３ａの次の係合面４５ｂとそれに対応するスタッドボルト溝形状とが対応していれば良いことをいう。
【００２３】
なお、各係合突起４３ａ、４３ｂは樹脂製である。ここでアーム部４１と係止片４２と各係合突起４３ａ、４３ｂとからなる実施例１のヒンジ部位４０はすべて樹脂製で一体成形されるものである。
【００２４】
次に上記の実施例１に係るクランプ１０の作用及び効果について説明する。
先ずスタッドボルト挿入時における挿入荷重について説明する。上述のとおり、第一係合突起４３ａの最初の係合面４５ａ角度はスタッドボルト挿入方向に大きく傾斜した角度として形成されている。このため挿入時におけるヒンジ部位４０の外方への変形が容易となっている。これにより、スタッドボルト２の挿入荷重の殆んどの荷重を最初の第一係合突起４３ａの最初の係合面４５ａに対し外方に変形させる作用力として作用させることができることとなる。つまり、スタッドボルト２を挿入する際に生じる挿入方向の力を第一係合突起４３ａの最初の係合面４５ａで受け取る。そして、その力の向きをヒンジ部位４０が拡がりつつ開く（拡開する）方向、すなわち外方方向へと効率よく変化させるものである。その結果としてヒンジ部位４０全体を拡開する方向に弾性変形させて押し広げることができる。これによりスタッドボルト２に対するクランプ１０の挿入荷重を低減させることができる。このため作業性がよくなるものである。また、スタッドボルト２を強引に挿入する必要もない。
【００２５】
また、実施例１においては第二係合突起４３ｂについてもその挿入荷重が低減されている。つまり、先ずスタッドボルト２と第一係合突起４３ａとが接触することによりヒンジ部位４０全体が拡開する。これに伴い、第二係合突起４３ｂの位置が拡開方向へと移動する。そのため、第二係合突起４３ｂの最初の係合面４５ｃはスタッドボルト挿入方向に大きく傾斜した角度となるのである。これによりスタッドボルト２の挿入荷重の殆んどの荷重を第二係合突起４３ｂの最初の係合面４５ｃに対し外方に変形させる作用力として作用させることができる。つまり、第二係合突起４３ｂの最初の係合面４５ｃについては特にその角度を傾斜させて形成する必要はないのである。
【００２６】
次にスタッドボルト２に対するヒンジ部位４０の保持力について説明する。上述の通りヒンジ部位４０の先には係止片４２が設けられている。そしてこの係止片４２がスタッドボルト２を弾発支持する。つまり係止片４２に外方方向へ開くように外圧が加わった場合、先ずアーム部４１が外方へ撓み変形することでその外圧を吸収する。そして、ある程度外方へと広がったアーム部４１には元に戻ろうとする弾性力が発生する。この力が係止片４２へと伝わる。そして係止片４２がスタッドボルト２を弾性的に押出す力が生まれることとなる。このように弾性力を用いて押出す力を弾発力という。上述のとおり係止片４２はスタッドボルト２をその両側から把持している。その結果、係止片４２はスタッドボルト２の両側から弾発力を持って支持することとなる。この様に弾発力をもって支持することを弾発支持という。これにより強い保持力が生まれることとなるのである。この様にしてスタッドボルト２の保持力が維持される。
【００２７】
次にスタッドボルト２に対する係合突起４３の保持力について説明する。第二係合突起４３ｂはスタッドボルト２の溝形状に対応して形成されている。また、第一係合突起４３ａの最初の係合面４５ａ以外の部分もスタッドボルト２の溝形状に実質的に対応している。このため、上記係合突起４３とスタッドボルト２外周溝とが確実に係合することとなる。これにより強い保持力が生まれることとなる。
また、この構造をとることで収納部１２に特別な構造や要素を負荷する必要がない。このため構造が簡単となり製造が容易となる。
【００２８】
上記のことから実施例１におけるクランプ１０はスタッドボルト２に対する保持力を維持しつつ、スタッドボルト挿入荷重を低減するものである。
【００２９】
また、上述の通り実施例１のヒンジ部位４０はすべて樹脂製で一体成形されるものである。このため、ヒンジ部位４０の軽量化が図られる。また、挿入時におけるヒンジ部位４０の弾性変形を容易に行わせることができる。
【００３０】
クランプ１０の材質は、ポリエチレン、ポリスチレン、ポリプロピレン、スチレンとアクリロニトリルを主成分として共重合した合成樹脂 （ＡＳ樹脂）、スチレンとアクリロニトリルとブタジエンを主成分として共重合した合成樹脂 （ＡＢＳ樹脂）等のような樹脂であるのが好ましい。上記の樹脂は市場によく出回っている。そのため、低廉で且つ品質の良い原材料を入手できるからである。なお、クリップ２０としての機能を果たす限り、紙、木、金属等であってもよい。
【００３１】
[その他の実施例]
以上本発明の主要な実施について説明したが、本発明を実施するための形態としては、上記実施例に限定されるものではなく、その他各種の実施の形態として実施できるものである。
先ず、上述の第一係合突起４３ａの最初の係合面４５ａ角度と同一の角度を第二係合突起４３ｂの最初の係合面４５ｃに付与することができる。これにより更にクランプ１０の挿入荷重を低減させることができる。つまり、挿入時の作業性がより向上するものである。特に、より作業性が重視される仮止め作業など上記クランプ１０を用いることができる。なお、本実施例においては実施例１と比較してやや保持力が低下するものの、所望の保持力は確保されるものである。
【００３２】
次に、上述の係合突起４３を二つ以上設けることができる。これにより更に保持力が向上するためである。このとき、実施例１と同様に第一係合突起４３ａの最初の係合面４５ａ角度はスタッドボルト挿入方向に大きく傾斜した角度として形成する。そして第一係合突起４３ａ以外の係合突起４３はスタッドボルト２の溝形状角度に対応して形成することが望ましい。保持力が向上すると共に挿入荷重自体は低く抑えることができるからである。つまり、上述した通り、先ず第一係合突起４３ａによりヒンジ部位４０が拡開する。これに伴い、第二係合突起４３ｂの位置が拡開方向へと移動する。そのため、第二係合突起４３ｂの最初の係合面４５ｃはスタッドボルト挿入方向に大きく傾斜した角度となる。この様に順次係合突起４３の最初の係合面４５ｎには角度がついていくため、挿入荷重が低減されるのである。
【００３３】
次に、上記実施例においてはクリップ２０が用いられているが、ベルト部とベルト部を挿通させるための挿通路を有するバックル部とで構成されるベルトを有することもできる。この構成によればプロテクタ１にベルト部を巻きつける。そしてバックル部でベルトの先端を固定することができる。このため、プロテクタ１にクランプ１０を装着するための孔を設ける必要がない。また、プロテクタ１中央部に孔を設けないため、その分だけより多くの電線ケーブル１ｂを収納したプロテクタ１を自動車に装着することができる。なお、ベルト部によっても脱着が可能である。
また、クランプ１０とプロテクタ１とを接着材で固定してもよい。これによりプロテクタ１に孔を穿つ必要がなく作業効率が向上する。
【００３４】
次に、上記実施例１においてはクランプ１０とプロテクタ１とが別体となっているが、クランプ１０とプロテクタ１とを一体として形成してもよい。これにより部品点数が少なくなる。つまり、クランプ１０とプロテクタ１とを別々に管理する必要が無いため作業効率が向上する。
【００３５】
次に、収納部１２内部の奥行きと挿入されるスタッドボルト２の長さとを対応して形成することができる。これにより挿入完了時にはスタッドボルト２と収納部１２底面とがぶつかることとなる。したがって、挿入完了を体感として知ることができるため更に作業性が向上する。
【００３６】
次に、クランプ１０は本体１１とクリップ２０とを一体成形することができる。これによりクランプ１０の形成が容易となる。
【００３７】
次に、上記クランプ１０の窓部３に蓋を設けることもできる。これにより外部から泥水や石などが入り込まない。特に車体外部に取付けられるクランプ１０に有効である。また挿入孔１４に蓋を設けることもできる。これにより搬送時に外部から泥水や石などが入り込むことはない。
【００３８】
なお、上記の実施例においては電線ケーブル用プロテクタ１のスタッドボルト用クランプ１０を例示したが、スタッドボルト２を利用して取付品を取付けるスタッドボルト用クランプ１０に広く適用可能なものである。
【産業上の利用可能性】
【００３９】
本発明のスタッドボルト用クランプは、自動車等の車体にプロテクタ等の部材を取付ける作業に適用できる。
【図面の簡単な説明】
【００４０】
【図１】プロテクタの配置図である。
【図２】スタッドボルトとプロテクタとクランプとの関係図である。
【図３】実施例１のクランプの斜視図である。
【図４】実施例１のクランプの平面図である。
【図５】図４のＡ−Ａ断面図である。
【図６】図４のＢ−Ｂ断面図である。
【図７】図４のＣ−Ｃ断面図である。
【図８】図４のＤ−Ｄ断面図である。
【図９】実施例１のクランプの正面図である。
【図１０】実施例１のクランプの側面図である。
【図１１】実施例１のクランプの底面図である。
【図１２】実施例１のクランプの取付状態時の断面図である。
【図１３】図５の拡大図である。
【図１４】実施例１のクランプの係合突起の拡大図である。
【図１５】実施例１のクランプとスタッドボルトとの取付開始時の断面図である。
【図１６】実施例１のクランプとスタッドボルトとの取付状態時の断面図である。
【図１７】スタッドボルトの拡大図である。
【符号の説明】
【００４１】
１  電線ケーブル用プロテクタ
１ａ  プロテクタ上の孔
１ｂ  電線ケーブル
２  スタッドボルト
２ａ  山部位
２ｂ  谷部位
２ｃ  フランク面
３  窓部
４  溝部
１０  スタッドボルト用クランプ
１１  本体
１２  収納部
１３  収納中空部
１４  挿入孔
１５  支持部
１６  支持中空部
１７、１８  支柱部材
１９  内部壁面
２０  クリップ
３０  把持部材
４０  ヒンジ部位
４１  アーム部
４２  係止片
４３  係合突起
４３ａ  第一係合突起
４３ｂ  第一係合突起
４４ａ  山部位
４４ｂ  谷部位
４５  係合面
４５ａ、４５ｃ、４５ｎ  最初の係合面
４５ｂ  次の係合面
Ａ  車体床下面
【図１】
2005083494.tif 000003
【図２】
2005083494.tif 000004
【図３】
2005083494.tif 000005
【図４】
2005083494.tif 000006
【図５】
2005083494.tif 000007
【図６】
2005083494.tif 000008
【図７】
2005083494.tif 000009
【図８】
2005083494.tif 000010
【図９】
2005083494.tif 000011
【図１０】
2005083494.tif 000012
【図１１】
2005083494.tif 000013
【図１２】
2005083494.tif 000014
【図１３】
2005083494.tif 000015
【図１４】
2005083494.tif 000016
【図１５】
2005083494.tif 000017
【図１６】
2005083494.tif 000018
【図１７】
2005083494.tif 000019